(57)【要約】【課題】成形が容易で、シール性、着用の快適性に優れ、さらに、有害微粒子や病原菌へのバリヤ性、呼吸性のバランスに優れた立体形マスクの提供。【解決手段】顔面覆い部中央の上辺または下辺のすくなくとも一方にＶ字型の切り欠けを設け、該切り欠きの両斜辺を接合して立体性を付与された顔面覆い部と耳かけ部から構成される不織布製マスクであって、顔面覆い部が連続一体の不織布からなり、顔面覆い部の中央上辺に上方に張り出した襟部を設けてなることを特徴とする立体形マスク。【選択図】図１
2007054381.tif 000002
【特許請求の範囲】
【請求項１】
顔面覆い部中央の上辺または下辺のすくなくとも一方にＶ字型の切り欠けを設け、該切り欠きの両斜辺を接合して立体性を付与された顔面覆い部と耳かけ部から構成される不織布製マスクであって、顔面覆い部が連続一体の不織布からなり、顔面覆い部の中央上辺に上方に張り出した襟部を設けてなることを特徴とする立体形マスク。
【請求項２】
襟部が、襟部の基底にエンボスを付して顔面覆い部の内側に折り込み可能にしたことを特徴とする請求項１に記載の立体形マスク。
【請求項３】
襟部の上辺中央に鼻屋の形状に沿って半円状の小切り欠きを設けたことを特徴とする請求項１又は２に記載の立体形マスク。
【請求項４】
顔面覆い部に横方向に連続した複数のエンボスリブが横縞様に敷設されていることを特徴とする請求項１〜３のいずれか１項に記載の立体形マスク。
【請求項５】
顔面覆い部が１〜４段にわたり、蛇腹状にプリーツ加工されており、使用時にはプリーツ部分を引き下げて顔面下部を広範囲にカバーできることを特徴とする請求項１〜４のいずれか１項に記載の立体形マスク。
【請求項６】
顔面覆い部と耳かけ部が連続一体の不織布基材で構成され、該不織布基材が、密度０．９ｇ／ｃｍ３以下の軟質ポリオレフィン、または、ポリオレフィンを鞘部、熱可塑性エラストマーを芯部とした芯鞘連続繊維からなる伸縮性スパンボンド不織布であることを特徴とする請求項１〜５のいずれか１項に記載の立体形マスク。
【請求項７】
顔面覆い部と耳かけ部が連続一体の不織布基材で構成され、該不織布基材が、ポリプロピレンのスパンボンド不織布、スパンボンド／メルトブロー／スパンボンド（ＳＭＳ）不織布、スパンボンド／メルトブロー／メルトブロー／スパンボンド（ＳＭＭＳ）不織布、またはポリエチレンを鞘部、ポリプロピレンを芯部とする芯鞘短繊維からなるサーマルボンド不織布のいずれかからなり、構成樹脂の融点以下の温度で延伸加工して伸縮性を付与した伸縮性不織布であることを特徴とする請求項１〜５のいずれか１項に記載の立体形マスク。
【請求項８】
顔面覆い部と耳かけ部が別体の不織布基材で構成され、顔面覆い部がポリプロピレンのスパンボンド不織布、ＳＭＳ不織布、もしくはＳＭＭＳ不織布のいずれかからなり、耳かけ部がポリプロピレンのスパンボンド不織布、ＳＭＳ不織布、ＳＭＭＳ不織布、もしくはポリエチレンを鞘部、ポリプロピレンを芯部とする芯鞘短繊維からなるサーマルボンド不織布を構成樹脂の融点以下の温度で延伸加工して伸縮性を付与した伸縮性不織布、または、密度０．９ｇ／ｃｍ３以下の軟質ポリオレフィン、もしくはポリオレフィンを鞘部、熱可塑性エラストマーを芯部とする芯鞘連続繊維からなる伸縮性スパンボンド不織布のいずれかからなり、顔面覆い部と耳かけ部が境界面で線または点状のエンボス加工にて接合連結されていることを特徴とする請求項５に記載の立体形マスク。
【請求項９】
顔面覆い部の不織布基材の内側部位に目付重量５〜３０ｇ／ｍ２のポリプロピレン製メルトブロー不織布を１〜３枚積層付加したことを特徴とする請求項１〜８のいずれか１項に記載の立体形マスク。
【請求項１０】
不織布基材及びポリプロピレン製メルトブロー不織布が帯電処理を施された不織布であることを特徴とする請求項１〜９のいずれか１項に記載の立体形マスク。
【請求項１１】
顔面覆い部の不織布基材の外側部位に光触媒、銀系抗菌剤もしくはこれらの混合物を添着または練り込んだスパンボンド不織布、ＳＭＳ不織布、またはＳＭＭＳ不織布を積層付加したことを特徴とする請求項１〜１０のいずれか１項に記載の立体形マスク。
【請求項１２】
顔面覆い部の不織布基材の内側部位の最内層（口元層）にポリオレフィン材料製芯鞘短繊維からなるサーマルボンド不織布またはレーヨンを主成分とするスパンレース不織布を積層付加したことを特徴とする請求項１〜１１のいずれか１項に記載の立体形マスク。
【発明の詳細な説明】
【技術分野】
【０００１】
本発明は、立体形マスクに関し、特に成形が容易で、顔面とのシール性、有害微粒子や病原菌へのバリヤ性、着用の快適性に優れた立体形マスクに関する。
【背景技術】
【０００２】
従来より、埃・花粉等が体内に侵入するのを抑制するため、鼻や口を覆うマスク本体が、ガーゼ・不織布製等の平面状シートからなるマスクが使用されている。しかしながら、人の顔面には、口や鼻などの凸出部分があるため、上記マスクは、平面状シートと顔面との間に隙間ができ易く、その隙間から埃・花粉等が侵入し易いという問題を有している。特に、医療現場は、プリーツ型のフラットマスクが多用されているが、顔面の立体形状に追従しがたく顔面側との間に間隙が出来やすいなどが課題とされてきている。
そのため、埃・花粉等の侵入を十分に抑制するために、鼻や口などを収容するように前方に膨出した立体マスクが種々提案されている。また、洗濯して繰り返し使用する布製のマスクに代わり、不織布シートや紙からなる使い捨てタイプのマスクが多く用いられている。
【０００３】
例えば、着用者顔面の鼻から口にかかる部分を２枚の低伸縮性シートで接合形成し、その左右両側に、比較的高伸縮性のシート状繊維材料で形成した耳掛け用の環状部を取り付けた使い捨てマスク（例えば、特許文献１参照。）、着用者の少なくとも口許に対する覆い部と、該覆い部の対向側から延びる耳掛け部とからなる不織布製の使い捨て衛生マスクであって、前記覆い部と耳掛け部とが熱可塑性合成繊維からなる不織布によってそれぞれ別体につくられ、前記覆い部の側端部分と前記耳掛け部の基端部分とを接合したマスク（例えば、特許文献２〜３参照。）等が提案されている。
しかしながら、前記立体マスクは、顔面を覆う主要部分において２枚のシート部材が使用されていて、その中心部で合掌形様に接合されており、その合掌接合部分が、非接合部分よりも固くなるため着用者の鼻の形などに追従しにくく、該立体マスクを着用すると、鼻に当たり、前記接合部分の圧接跡が付いたり、着用の不快感、すなわち、かゆみ、痛みを伴うという問題を有している。
【０００４】
ところで、マスク本来の機能は、外部から吸い込まれる有害異物を除去することにある。ここで、異物とはアレルゲンとなる花粉、ダニ、ハウスダスト、車の排気塵、病原菌、ウイルスなどであるが、さまざまなサイズ、形状、飛散状況、作業環境があり、到底１枚の不織布シート物等で除去対応できるものではない。上記特許文献に記載のマスクは、ほとんどがマスクの正面覆い部分が単層のシート部分からなるものであり、複数枚のシートを重ねたものではないし、さらに、マスク形状のみに触れられているものの、異物除去フィルタとしてのバリヤ性能については触れられていない。また、バリヤ性能だけを高めると、通気度の著しい低下を招き、息苦しさを伴う。すなわち、マスクとは、バリヤ性と呼吸性のバランスを用途ごとに取れるものでなければならない。
したがって、従来の単層シートからなる立体マスクでは、バランスのとれたマスクへの要求を満たすことはできず、よって、歯科、外科等で使用に耐える医療用マスク、風邪の予防などの機能を求められる幅広い用途に対応できるものではなかった。
【特許文献１】特開平７−２７５３８４号公報
【特許文献２】特開平９−１４９９４５号公報
【特許文献３】特開平９−１４９９４６号公報
【発明の開示】
【発明が解決しようとする課題】
【０００５】
本発明の目的は、上記問題点に鑑み、成形が容易で、シール性、着用の快適性に優れ、さらに、有害微粒子や病原菌へのバリヤ性、呼吸性のバランスに優れた立体形マスクを提供することにある。
【課題を解決するための手段】
【０００６】
本発明者は、上記課題を解決すべく鋭意検討を重ねた結果、顔面覆い部中央の上辺または下辺のすくなくとも一方にＶ字型の切り欠けを設けてその切り欠きの両斜辺を接合して立体性を付与された顔面覆い部と耳かけ部から構成される不織布製マスクの覆い部の中央上辺に襟部を設けることにより、顔面とのシール性を改良し、着用の快適性に優れ、また、覆い部を積層体にすることにより有害微粒子や病原菌へのバリヤ性、呼吸性のバランスに優れた立体形マスクを得ることができることを見出し本発明を完成させた。
【０００７】
すなわち、本発明の第１の発明によれば、顔面覆い部中央の上辺または下辺のすくなくとも一方にＶ字型の切り欠けを設け、該切り欠きの両斜辺を接合して立体性を付与された顔面覆い部と耳かけ部から構成される不織布製マスクであって、顔面覆い部が連続一体の不織布からなり、顔面覆い部の中央上辺に上方に張り出した襟部を設けてなることを特徴とする立体形マスクが提供される。
【０００８】
また、本発明の第２の発明によれば、第１の発明において、襟部が、襟部の基底にエンボスを付して顔面覆い部の内側に折り込み可能としたことを特徴とする立体形マスクが提供される。
【０００９】
また、本発明の第３の発明によれば、第１又は２の発明において、襟部の上辺中央に鼻屋の形状に沿って半円状の小切り欠きを設けたことを特徴とする立体形マスクが提供される。
【００１０】
また、本発明の第４の発明によれば、第１〜３のいずれかの発明において、顔面覆い部に横方向に連続した複数のエンボスリブが横縞様に敷設されていることを特徴とする立体形マスクが提供される。
【００１１】
また、本発明の第５の発明によれば、第１〜４のいずれかの発明において、顔面覆い部が１〜４段にわたり、蛇腹状にプリーツ加工されており、使用時にはプリーツ部分を引き下げて顔面下部を広範囲にカバーできることを特徴とする立体形マスクが提供される。
【００１２】
また、本発明の第６の発明によれば、第１〜５のいずれかの発明において、顔面覆い部と耳かけ部が連続一体の不織布基材で構成され、該不織布基材が、密度０．９ｇ／ｃｍ３以下の軟質ポリオレフィン、または、ポリオレフィンを鞘部、熱可塑性エラストマーを芯部とした芯鞘連続繊維からなる伸縮性スパンボンド不織布であることを特徴とする立体形マスクが提供される。
【００１３】
また、本発明の第７の発明によれば、第１〜５のいずれかの発明において、顔面覆い部と耳かけ部が連続一体の不織布基材で構成され、該不織布基材が、ポリプロピレンのスパンボンド不織布、スパンボンド／メルトブロー／スパンボンド（ＳＭＳ）不織布、スパンボンド／メルトブロー／メルトブロー／スパンボンド（ＳＭＭＳ）不織布、またはポリエチレンを鞘部、ポリプロピレンを芯部とする芯鞘短繊維からなるサーマルボンド不織布のいずれかからなり、構成樹脂の融点以下の温度で延伸加工して伸縮性を付与した伸縮性不織布であることを特徴とする立体形マスクが提供される。
【００１４】
また、本発明の第８の発明によれば、第５の発明において、顔面覆い部と耳かけ部が別体の不織布基材で構成され、顔面覆い部がポリプロピレンのスパンボンド不織布、ＳＭＳ不織布、もしくはＳＭＭＳ不織布のいずれかからなり、耳かけ部がポリプロピレンのスパンボンド不織布、ＳＭＳ不織布、ＳＭＭＳ不織布、もしくはポリエチレンを鞘部、ポリプロピレンを芯部とする芯鞘短繊維からなるサーマルボンド不織布を構成樹脂の融点以下の温度で延伸加工して伸縮性を付与した伸縮性不織布、または、密度０．９ｇ／ｃｍ３以下の軟質ポリオレフィン、もしくはポリオレフィンを鞘部、熱可塑性エラストマーを芯部とする芯鞘連続繊維からなる伸縮性スパンボンド不織布のいずれかからなり、顔面覆い部と耳かけ部が境界面で線または点状のエンボス加工にて接合連結されていることを特徴とする立体形マスクが提供される。
【００１５】
また、本発明の第９の発明によれば、第１〜８のいずれかの発明において、顔面覆い部の不織布基材の内側部位に目付重量５〜３０ｇ／ｍ２のポリプロピレン製メルトブロー不織布を１〜３枚積層付加したことを特徴とする立体形マスクが提供される。
【００１６】
また、本発明の第１０の発明によれば、第１〜９のいずれかの発明において、不織布基材及びポリプロピレン製メルトブロー不織布が帯電処理を施された不織布であることを特徴とする立体形マスクが提供される。
【００１７】
また、本発明の第１１の発明によれば、第１〜１０のいずれかの発明において、顔面覆い部の不織布基材の外側部位に光触媒、銀系抗菌剤もしくはこれらの混合物を添着または練り込んだスパンボンド不織布、ＳＭＳ不織布、またはＳＭＭＳ不織布を積層付加したことを特徴とする立体形マスクが提供される。
【００１８】
また、本発明の第１２の発明によれば、第１〜１１のいずれかの発明において、顔面覆い部の不織布基材の内側部位の最内層（口元層）にポリオレフィン材料製芯鞘短繊維からなるサーマルボンド不織布またはレーヨンを主成分とするスパンレース不織布を積層付加したことを特徴とする立体形マスクが提供される。
【発明の効果】
【００１９】
本発明の立体形マスクは、成形が容易で、シール性、着用の快適性に優れ、さらに、有害微粒子や病原菌へのバリヤ性、呼吸性のバランスに優れた立体形マスクである。
【発明を実施するための最良の形態】
【００２０】
以下に本発明のマスクの形状、マスクを構成する不織布シート等について詳細に説明する。
【００２１】
１．マスクの形状
本発明の立体形マスクの形状を図で説明する。図１は顔面覆い部中央の下辺をＶ字型に切り欠きし、その両斜辺を接合した本発明の一形態の立体形マスクの斜視図であり、図２は図１のマスクを折り畳んだ状態の側面図であり、図３は図１のマスクの接合部を切り離して展開した状態の正面図である。
図１〜３において、１はマスク、２は顔面覆い部、３は耳かけ部、４は襟部である。本発明の立体形マスクは、顔面覆い部２の下辺２１の中央から上部に向けてＶ字状に切り欠き、形成されたＶ字状の斜辺２１’及び２１”を熱接合して接合部２３を形成している。このような形状にすることにより、顔面覆い部２の内部に鼻、口を収容する空間が形成される。
また、顔面覆い部２の中央上辺より上方に張り出した襟部４が設けられている。襟部４は、顔面と顔面覆い部２との間に生ずる隙間を解消して、シール性を高めるとともにクッション性を出して、鼻部とマスク端面の当たりを解消し、快適にすることができる。襟部４は、その基底４１にエンボスラインを付すことにより、マスクの内側に容易に折り込んで使用することもできる。さらに、襟部の上辺中央には鼻屋の形状に沿って半円形の小切り欠き４２を設け、鼻屋を襟部にフィットさせることができ、マスクにより快適にシール性が付与される。
耳かけ部３は、耳に掛ける孔３１が適宜設けられ、さらに顔面側部にフィットするように外形形状が適宜整えられる。
なお、本発明において、Ｖ字状とは、その斜辺部が直線のみでなく湾曲している形状も含むものとする。
【００２２】
また、本発明の他の形態の立体形マスクを図４及び図５で説明する。図４は、マスクの接合部を切り離して展開した状態の正面図であり、図５は図４のマスクの折り畳んだ状態の側面図である。図４及び５において、顔面覆い部２の下辺２１側及び上辺２２側の中心部からＶ字状に切り欠き、形成されたＶ字状の斜辺２１’と２１”及び２２’と２２”をそれぞれ熱接合して、接合部２３と２４を形成して顔面覆い部２の内部に鼻、口を収容する空間を形成している。
【００２３】
本発明の立体形マスクにおいては、顔面覆い部２の上辺部に襟部４を設けることが必要である。襟部の形状は、特に限定されないが、Ｖ字状の切り欠け部を顔面覆い部の下辺又は上辺に設けて立体形を形成する場合で若干異なった形状にすることが好ましく、例えば、Ｖ字状の切り欠け部を顔面覆い部の下辺部に設けて立体形を形成する場合は、図６の（１）〜（９）のような形状が挙げられ、Ｖ字状の切り欠け部を顔面覆い部の上辺部に設けて立体形を形成する場合は、図７の（１）〜（４）のような形状にするのが好ましい。
襟部４により、本発明の立体形マスクを着用した場合、顔面と顔面覆い部２との間に生ずる隙間を解消して、シール性を高めるとともにクッション性を出して、鼻部とマスク端面の当たりを解消し、快適にすることができる。
また、このような襟部を設ける利点は、メガネの曇り止め効果にある。一般に立体形マスクにおいては、フラットマスクに比べて頬や顎の部分に良くフィットし、なおかつ、マスクが鼻の上方まで覆うため、湿気を含む吐気が上昇して鼻屋とマスクの間隙から流出する傾向にあり、メガネに結露して曇るという問題を生じやすい。本発明においては、該襟部が鼻屋とマスクの間隙をシールするので、このような問題を解消することができる。
【００２４】
また、本発明の立体形マスクにおいては、図８に示すように、顔面覆い部２に、横方向に連続した複数のエンボスリブ５を横縞模様に敷設することにより、保形性を付与することができる。マスクを着用時には、息をするたびにペコペコすることや、馴染みによる口元とマスクのくっつきに由来する不快感を防ぐことができる。リブの数、形状は特に制限されないが、例えば、顔面覆い部の断面を示す図９に示すような形状が挙げられる。
【００２５】
さらに、本発明の立体形マスクにおいては、顔面覆い部２を１〜４段にわたるプリーツ部を設けることができる。プリーツ部は、例えば、図１０の断面を有するようにシートを折り込み、使用時にマスクを引き伸ばしてマスク使用者の顔面の大きさに追従させることができる。図１１は顔面覆い部２の上辺側にＶ字状の切り欠け部を設けて立体形マスクを形成する場合に、顔面覆い部２の下辺側に１段のプリーツ６を設けたマスクの展開図であり、図１２は図１１の立体形マスクのプリーツ部６を引き下げた場合の斜視図である。図１３は顔面覆い部２の上辺側にＶ字状の切り欠け部を設けて立体形マスクを形成する場合に、顔面覆い部２の下辺側に４段のプリーツ部６を設けた場合の側面図であり、図１４は図１３の立体形マスクのプリーツ部６を引き下げた場合の斜視図である。図１２及び１４からわかるように、マスクの使用時にプリーツ部６を引き下げて顔面下部を広範囲にカバーすることができる。特に、医療用のマスクとして用いる場合は、口元を覆うだけでなく、顎部を深く覆い、飛散する血液、体液からの防護が必要な場合に有効に用いることができる。このようなプリーツ部は、縦方向（垂直方向）のカバー範囲の調整が困難な、従来の２枚組みシートの合掌タイプの立体マスクにはない特徴である。
また、花粉、ダストよけの用途ではさまざまな顔を持つ老若男女が使用者となるため、従来の合掌形の立体マスクでは、幾種類のサイズを用意し、それを使用者に誤りなく選択させる必要がある。当プリーツ部分の機能は、その様な生産者並びに使用者の負担を軽減するものである。
【００２６】
本発明の立体形マスクは、顔面覆い部と耳かけ部が連続一体の不織布基材で構成されていても、顔面覆い部と耳かけ部を別体の不織布で構成されていても良い。本発明の立体形マスクが顔面覆い部と耳かけ部が連続一体の不織布基材で構成されている場合、概略長方形の不織布基材シートを長さ方向の中心線で折り畳み、中心線の上部及び／又は下部で展開するとＶ字状になるようにＶ字状の切り欠け部を設け、且つその斜辺部でシートを融着接合し、襟部４を設け、外周部及び耳かけ部を顔面がフィットするような形状に適宜カットして形成することができる。また、顔面覆い部と耳かけ部を別体の不織布で構成されている場合は、顔面覆い部と耳かけ部を不織布基材から形成し、顔面覆い部と耳かけ部で熱接合して形成することができる。特に、顔面覆い部と耳かけ部を別体の不織布で構成されている場合は、顔面覆い部をプリーツ加工した立体形マスクにする場合に好ましく用いることができる。
【００２７】
顔面覆い部をプリーツ加工した立体形マスクにおいて顔面覆い部と耳かけ部を別体の不織布で構成されている場合は、図１５に示すように、顔面覆い部２の上辺側にＶ字状の切り欠け部を設け、かつ顔面覆い部２の下部側にプリーツ部６を設けることができるように大きな不織布を用いて折り込んでプリーツ部を形成する。続いて顔面覆い部２と両耳かけ部３を接合して、立体形マスクを形成することができる。
【００２８】
２．マスクの材料
本発明の立体形マスクに用いる不織布基材の材料としては、特に制限されないが、前述のように、連続一体の不織布基材から構成されるので、不織布自体が伸縮性を有していることが好ましい。
伸縮性を有する不織布としては、伸縮性を有する材料からなる不織布と後加工により伸縮性を付与した不織布のいずれであっても良い。
【００２９】
伸縮性を有する材料からなる不織布としては、特に制限はないが、少なくとも不織布構成繊維の表面がポリオレフィンであることが好ましい。これは、ポリオレフィンのもつ耐水耐湿性、耐加水分解性などの他、優れた帯電性および熱加工性がマスク素材として適しているためである。従って、軟質ポリオレフィン各種、例えば、エチレン・プロピレンコポリマー、エチレン・ブテン−１コポリマー、エチレン・へキセン−１コポリマーにて密度が０．９０ｇ／ｃｍ３以下の素材によるスパンボンド不織布、または、鞘部がポリエチレンまたはポリプロピレンで構成され、芯部が熱可塑性エラストマー、例えば、スチレン系熱可塑性エラストマー、オレフィン系熱可塑性エラストマー、ウレタン系熱可塑性エラストマー、ポリエステル系熱可塑性エラストマー、ポリアミド系熱可塑性エラストマー等で構成される複合繊維からなるものが好ましく、特に芯部をウレタン系熱可塑性エラストマーとした芯鞘構造連続繊維で構成させるスパンボンド不織布が高度の伸縮復元性をもつため好ましい。該スパンボンド不織布は、鞘部がポリエチレンまたはポリプロピレンで構成されているため、ポリウレタンのごとき熱可塑性エラストマーが外気と遮断され、加水分解による物性劣化や黄変といった問題を回避でき、さらに鞘部が他の積層不織布と同系素材であるため熱融着加工をし易いという利点を有する。
【００３０】
また、後加工により伸縮性を付与した不織布としては、従来公知の熱可塑性樹脂からなる不織布に、公知の加熱及び機械処理による伸縮性が付与された不織布を挙げることができる。公知の加熱及び機械処理方法としては、例えば、特開平１０−１３１０１５号公報または米国特許第６，０５１，１７７号明細書に記載の方法である、不織布構成樹脂の融点以下の温度で延伸加工して伸縮性を付与する方法等を挙げることができる。
ここで、熱可塑性樹脂からなる不織布としては、例えば、ポリエチレン、ポリプロピレン等のポリオレフィン、ポリエチレンテレフタレート、ポリブチレンテレフタレート等のポリエステル等からなる不織布、また、これらの樹脂の複合繊維、例えば、外層の鞘部分がポリエチレンからなり、内層の芯部分がポリプロピレンよりなる複合繊維からなる不織布が挙げられる。これらの中では、材料と不織布製造法の組み合わせから、ポリプロピレンを用いたスパンボンド不織布、スパンボンド／メルトブロー／スパンボンド（ＳＭＳ）不織布、スパンボンド／メルトブロー／メルトブロー／スパンボンド（ＳＭＭＳ）不織布、ポリエチレンを鞘部、ポリプロピレンを芯部とする芯鞘短繊維からなるサーマルボンド不織布が好ましい。
【００３１】
また、不織布基材の目付重量は、２０〜１００ｇ／ｍ２が好ましく、より好ましくは３０〜６０ｇ／ｍ２である。目付重量が２０ｇ／ｍ２未満では、抗張力強度が不足し、１００ｇ／ｍ２を超えると風合いが硬くなり、かつ通気性が低下する。さらに、不織布基材の通気度は５０ｃｃ／ｃｍ２／ｓｅｃ以上が好ましい。通気度が５０ｃｃ／ｃｍ２／ｓｅｃ未満であると通気抵抗が増し好ましくない。
【００３２】
なお、前述のように、本発明の立体形マスクは、顔面覆い部と耳かけ部を別体の不織布で構成されていても良く、この場合は、顔面覆い部がポリプロピレンのスパンボンド不織布、ＳＭＳ不織布、もしくはＳＭＭＳ不織布のいずれかからなる不織布が好ましく、耳かけ部がポリプロピレンのスパンボンド不織布、ＳＭＳ不織布、ＳＭＭＳ不織布、もしくはポリエチレンを鞘部、ポリプロピレンを芯部とする芯鞘短繊維からなるサーマルボンド不織布を構成樹脂の融点以下の温度で延伸加工して伸縮性を付与した伸縮性不織布、または、密度０．９ｇ／ｃｍ３以下の軟質ポリオレフィン、もしくはポリオレフィンを鞘部、熱可塑性エラストマーを芯部とした芯鞘連続繊維からなる伸縮性スパンボンド不織布のいずれかからなる不織布が好ましい。顔面覆い部と耳かけ部は、境界面で線または点状のエンボス加工にて接合連結される。
【００３３】
３．積層体からなるマスク
また、本発明の立体形マスクは、有害微粒子、病原菌などへのより優れたバリヤ性付与の効果を付与するために、顔面覆い部２に他の不織布シートを積層した積層体にすることができる。
特に、顔面覆い部の基材不織布の外側には、最外層となる内層を保護する機能を有する不織布層を、また内側には、１〜３枚の低圧力損失、高捕集効率の不織布層、さらに皮膚に接する最内層には、快適さを有する不織布層をそれぞれ積層することができる。
顔面覆い部において、不織布基材に積層する他の不織布としては、特に限定されないが、全体として、３〜６枚の通気性不織布で構成されることが好ましく、特に、不織布基材の外側（外気側）に積層する最外層、不織布基材の内側に積層する１〜２枚の内側層、内側層の内側の最内層（口元層）の３〜４層からなる積層体が好ましい。
【００３４】
上記最外層不織布としては、マスクの最外層に位置し、内層を保護する機能を有する。また、必要に応じて、光触媒及び／又は銀系抗菌剤を添着または練り込んで抗菌効果を付与した不織布を用いることができる。光触媒は、最外層に捕捉された飛沫（咳、くしゃみにより飛散する）に含まれる細菌やウイルスを光触媒の効果及び／又は銀抗菌剤の効果で不活性化する。光触媒としては、二酸化チタンおよびアパタイトの被覆ないしはその混合物、またはチタンアパタイト複塩などが用いられる。
銀系抗菌剤としては、銀ゼオライト化合物が用いられ、その代表的なものとして、アルミノケイ酸による三次元骨格構造をもつゼオライトに銀イオンを担持したもの（シナネンゼオミックス社製）や、リン酸ジルコニウムに銀イオンを担持したもの（東亜合成製ノバロン）などが用いられる。
最外層は、擦れなどによる繊維の毛羽立ちにし難い素材が好ましく、かつ、飛沫をカットする機能も必要である。このような不織布素材としては、ポリプロピレンを材料とするスパンボンド不織布、ＳＭＳ不織布またはＳＭＭＳ不織布が好ましい。最外層不織布の目付重量は１０〜４０ｇ／ｍ２が好ましく、通気度は５０ｃｃ／ｃｍ２／ｓｅｃ以上が好ましい。
【００３５】
上記不織布基材の内側層の不織布としては、マスク全体として、圧力損失と微粒子の捕集効率のバランスにおいて、低圧損、高捕集効率の不織布が好ましく、ポリプロピレンを主材料とする帯電処理を付したメルトブロー不織布が好ましい。該メルトブロー不織布の平均繊維径は２〜６μｍであり、目付重量は１０〜３０ｇ／ｍ２が好ましく、通気度は３０〜１００ｃｃ／ｃｍ２／ｓｅｃが好ましい。また、使用される用途により、捕集効率の高いものが求められ場合、例えば、医療分野における場合、使用するメルトブロー不織布の枚数を２〜３枚に増やすことも有効である。
【００３６】
上記内側層の内側（口元）層の不織布としては、皮膚に接するため、快適さの面から親水ないし吸湿性を有する不織布が好ましく、鞘部がポリプロピレン、芯部がポリエチレンからなる親水性油剤を使用した短繊維からなるサーマルボンド不織布又はレーヨンを主体とするスパンレース不織布が好ましい。口元層を構成する不織布の目付重量は、２０〜４０ｇ／ｍ２、通気度は２００ｃｃ／ｃｍ２／ｓｅｃ以上が好ましい。
【００３７】
上記の不織布のうち、特にメルトブロー不織布は、微粒子を捕集する機能を向上させるために、帯電処理をしたものを用いる。帯電処理を施すことにより、静電気力によって微細な粉塵を効率良く捕集することができるためである。帯電処理はコロナ放電処理などによって行われる。
【００３８】
さらに、顔面覆い部において積層する不織布は、マスクの保形性を高めるために、不織布基材と重ねた状態でマスクの横方向に連続線状の熱エンボス処理を施し、顔面覆い部の不織布全体を一体化することが好ましい。本発明の不織布基材は、前述のように、伸縮性を有する不織布であるため、元来伸縮性の小さいポリプロピレンのスパンボンド不織布、メルトブロー不織布、サーマルボンド不織布と積層し、かつ横方向に連続エンボス加工することで、顔面覆い部の不必要な伸びを抑える効果を有する。
【００３９】
本発明のマスクにおいては、顔面正面覆い部の上部に、ノーズピースを付与することもできる。ノーズピースとしては、鼻の形状に沿って密着させると同時にマスクの形状を保持する補助機能を果たす機能を有するものであれば、その材質、大きさは特に制限されない。例えば、アルミニウムやプラスチックでコーティングされたワイヤー、形状記憶性プラスチック等が挙げられる。ノーズピースは、接着剤、例えば圧感接着剤、液状ホットメルト接着剤、又は超音波溶接等でマスクに固定することが可能である。また、本発明においては、ノーズピースは、襟部の折り返しによって、マスクに内蔵させたりすることも可能である。
しかしながら、本発明の立体形マスクにおいては、立体的に顔面を覆うように設計されており、かつ、顔面覆い部上部に折り返し可能な襟部を設け顔面の眼窩とマスクの間隙がシールされるので、ノーズピースを不要とすることができるという特徴を有する。
【００４０】
なお、顔面を覆う部分における他の不織布の積層、エンボス加工は、超音波溶接等の公知の方法で行なうことができる。
【００４１】
本発明の立体形マスクは、製造が容易であり、かつフラットに折り畳める優れた収納性を有し、マスク装着時の形状を確定してマスク内空間容積を確保し、長時間の装着を快適にすることのできる特徴を有する。さらに、必要に応じて、マスク外表面層に光触媒及び／または銀抗菌剤処理を施した不織布、内層には帯電処理を施したメルトブロー不織布等を複数使用したマスクとすることができる。このような材質のマスクとすることで、抗菌性と高い防塵能力を併せ持つマスクとすることができ、工業的な作業環境での防塵とともに、結核菌などの細菌やウイルスを含む飛沫からの防御性が格段に向上したマスクとすることができる。したがって、工業用にとどまらず、病院内での感染予防や歯科治療での用途、あるいは防疫業務など広い範囲で使用できる。
【実施例】
【００４２】
以下に本発明を実施例で説明するが、本発明は、実施例のみに限定されるものではない。なお、実施例、比較例で用いた試験方法、使用した不織布材料は以下の通りである。
【００４３】
１．試験方法
（１）不織布の目付重量：試料長さ方向より、１００×１００ｍｍの試験片を採取し、水分平衡状態の重さを測定し、１ｍ２当たりに換算して求めた。
（２）通気度：ＪＩＳ  Ｌ１０９６  通気性Ａ法に準拠して測定した。
（３）フィルタ効率、圧力損失：顔面覆い部に積層付加する不織布を１５〜２０ｃｍ角サイズに平板状に重ね揃え、ＴＳＩ８１３０型フィルタ試験機に装着し、ＮａＣｌエアゾル粒子を１５ｃｍ／ｓｅｃの線速度で通気させ、該粒子の捕集効率（％）と通気の圧力損失（Ｐａ）を計測した。
【００４４】
（実施例１）
連続一枚の不織布基材として、ポリエチレン／ポリウレタン芯鞘繊維からなり、目付け重量が５０ｇ／ｍ２の伸縮性スパンボンド不織布（ＬＩＮＯＴＥＣ  ＤＥＶＥＬＯＰＭＥＮＴ  ＧＭＢＨ社製）を用い、図１６に示す形状のマスク原形を打抜き、顔面覆い部２に、内層不織布として、目付け重量２０ｇ／ｍ２、通気度３９ｃｃ／ｃｍ２／ｓｅｃの帯電処理を施したポリプロピレン製メルトブロー不織布を積層し、最内層不織布として、目付け重量３５ｇ／ｍ２のポリプロピレン／ポリエチレン芯鞘短繊維からなるサーマルボンド不織布を積層して立体形マスクを形成した。
なお、該ポリエチレン／ポリウレタン芯鞘スパンボンド不織布の引張り最大伸びは、ＭＤ方向３２９％、ＣＤ方向３１２％、荷重緩和後の残留伸びはＭＤ方向で３１％、ＣＤ方向で３８％であり、優良な伸張性と回復性および縦横バランスを示しており、耳かけ部の材質として適している。
また、顔面覆い部の積層部分は、不織布基材とともに、顔面覆い部の下辺、上辺の外周部分および耳かけ部との境界部分を各々エンボスライン１０、１１、１２にて縁取りされ層間が固定されて一体化されるようにした。また、顔面覆い部２の上辺には襟部４を設け、襟部４の中央上部に半円形の小切り欠き部４２を設け、さらに、襟部４の基底にはエンボスライン４１を敷設して着用時に内側に折り込めるようにした。
さらに、顔面覆い部２の中央部分には、横方向に連続したリブ５を敷設した。なお、リブは、積層不織布全層に形成させた。
上記の立体形マスクにおいて、積層不織布からなる覆い部のフィルタ効率は７７％であり、圧力損失は７５Ｐａであった。この値は、衛生マスク、とりわけ医療用マスクとして十分なバリヤ性を備えていた。
【００４５】
（実施例２）
連続一枚の不織布基材として、目付け重量が５０ｇ／ｍ２の伸縮加工を施したポリプロピレン／ポリエチレン芯鞘スパンボンド不織布を用い、図１７に示す形状のマスク原形を打抜き、顔面覆い部２に、外層として表面に光触媒（太平化学産業製チタンアパタイト複塩、商品名：ＰＨＯＴＯＨＡＰ  ＰＣＡ−１００、化学式：（Ｃａ，Ｔｉ）１０（ＯＨ）２（ＰＯ４）６）をアクリルバインダにて２ｇ／ｍ２を添着した目付け重量１８ｇ／ｍ２のポリプロピレン製ＳＭＳ不織布を、内層として目付け重量２０ｇ／ｍ２、通気度３９ｃｃ／ｃｍ２／ｓｅｃの帯電処理を施したポリプロピレン製メルトブロー不織布を積層し、最内層不織布として目付け重量３５ｇ／ｍ２のポリプロピレン／ポリエチレン芯鞘短繊維からなるサーマルボンド不織布を積層して立体形マスクを形成した。
なお、顔面覆い部の積層部分は、不織布基材とともに、顔面覆い部の下辺、上辺の外周部分および耳かけ部との境界部分を各々エンボスライン１０、１１、１２にて縁取りされ層間が固定されて一体化されるようにした。また、顔面覆い部２の上辺には襟部４を設け、襟部４の中央上部に半円形の小切り欠き部４２を設け、さらに、襟部４の基底にはエンボスライン４１を敷設した。
また、顔面覆い部２の中央部分には、横方向に連続したリブ５を敷設した。なお、リブは、積層不織布全層に形成させた。
上記の立体形マスクにおいて、積層不織布からなる覆い部のフィルタ効率は７４％であり、圧力損失は６３Ｐａであった。この値は、衛生マスク、とりわけ医療用マスクとして十分なバリヤ性を備えていた。
【産業上の利用可能性】
【００４６】
本発明の立体形マスクは、製造が容易であり、かつフラットに折り畳める優れた収納性を有し、マスク装着時の形状を確定してマスク内空間容積を確保し、長時間の装着を快適にすることのできる特徴を有する。さらに、必要に応じて、マスク外表面層に光触媒及び／または銀抗菌剤処理を施した不織布、内層には帯電処理を施したメルトブロー不織布等を複数使用したマスクとすることができる。このような材質のマスクとすることで、抗菌性と高い防塵能力を併せ持つマスクとすることができ、工業的な作業環境での防塵とともに、結核菌などの細菌やウイルスを含む飛沫からの防御性が格段に向上したマスクとすることができる。したがって、工業用にとどまらず、病院内での感染予防や歯科治療での用途、あるいは防疫業務など広い範囲で使用できる。
【図面の簡単な説明】
【００４７】
【図１】本発明の立体形マスクの斜視図である。
【図２】図１のマスクの折りたたんだ状態の側面図である。
【図３】図１のマスクの展開した状態の正面図である。
【図４】本発明の他の態様の立体形マスクの展開した状態の正面図である。
【図５】図４の立体形マスクの折りたたんだ状態の側面図である。
【図６】襟部の形状を説明する図である。
【図７】襟部の形状を説明する図である。
【図８】リブを説明する図である。
【図９】リブの断面を説明する図である。
【図１０】プリーツの断面を説明する図である。
【図１１】一段のプリーツ部を有する立体形マスクの展開した状態の正面図である。
【図１２】図１１の立体形マスクの斜視図である。
【図１３】４段のプリーツ部を有する立体形マスクの折りたたんだ状態の正面図である。
【図１４】図１３の立体形マスクの斜視図である。
【図１５】４段のプリーツ部を有する他の態様の立体形マスクの展開した状態の正面図である。
【図１６】実施例１のマスクの展開した状態の正面図である。
【図１７】実施例２のマスクの展開した状態の正面図である。
【符号の説明】
【００４８】
１  マスク
２  顔面覆い部
３  耳かけ部
４  襟部
５  リブ
６  プリーツ
１０、１１、１２  エンボスライン
２１、２２  顔面覆い部の下辺、上辺
２１’、２１”、２２’、２２”  Ｖ字斜辺
２３、２４  接合部
３１  耳かけ穴
４１  襟部基底エンボスライン
４２  襟部上辺半円欠き部
【図１】
2007054381.tif 000003
【図２】
2007054381.tif 000004
【図３】
2007054381.tif 000005
【図４】
2007054381.tif 000006
【図５】
2007054381.tif 000007
【図６】
2007054381.tif 000008
【図７】
2007054381.tif 000009
【図８】
2007054381.tif 000010
【図９】
2007054381.tif 000011
【図１０】
2007054381.tif 000012
【図１１】
2007054381.tif 000013
【図１２】
2007054381.tif 000014
【図１３】
2007054381.tif 000015
【図１４】
2007054381.tif 000016
【図１５】
2007054381.tif 000017
【図１６】
2007054381.tif 000018
【図１７】
2007054381.tif 000019